【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
コードで補強された押出物を押し出すための押出機システムであって、
押出機から押出材料を受け取るための１つ以上の流路を有する押出機ヘッドと、前記１つ以上の流路から前記押出材料を受け取るダイと、コードをコード平面において横並びにて前記ダイへと案内するためのコードガイドとを備え、前記押出機ヘッドは、前記押出機ヘッドを通って前記コード平面に平行な挿入方向に延びる挿入スロットを備え、前記１つ以上の流路は、流れ領域において前記挿入スロットへと流出し、前記ダイおよび前記コードガイドは、前記挿入スロットの完全に外側の位置から、前記挿入方向に対して前記流れ領域の下流のダイ位置および前記流れ領域の上流のコードガイド位置のそれぞれへと、前記挿入方向に挿入可能であり、前記ダイおよび前記コードガイドは、前記ダイおよび前記コードガイドを前記挿入スロットへと同時に挿入できるように接続されるように構成されている、
押出機システム。
【請求項２】
前記押出機ヘッドは、前記挿入スロットを定める内面を備え、前記ダイおよび前記コードガイドを前記内面に沿って前記挿入方向にスライドさせるために、前記ダイは、前記コード平面の両側において前記コード平面に平行に延びる第１のスライド面および第２のスライド面を備え、前記コードガイドは、前記コード平面の両側において前記コード平面に平行に延びる第３のスライド面および第４のスライド面を備える、
請求項１に記載の押出機システム。
【請求項３】
前記ダイを前記コードガイドに対して保持するためのホルダを備える、
請求項１または２に記載の押出機システム。
【請求項４】
前記ホルダは、前記コードガイドに直接接続され、または前記コードガイドと一体である、
請求項３に記載の押出機システム。
【請求項５】
前記ホルダは、前記コードガイドにベースを備えており、前記ホルダは、前記ダイを前記ベースに対して保持するために前記ベースから前記ダイに向かって延びている、
請求項４に記載の押出機システム。
【請求項６】
前記ホルダは、前記挿入方向に垂直な横断方向における前記ダイの第１の側および第２の側のそれぞれにおいて前記挿入方向に前記ベースから前記ダイに向かって前記ダイの傍らを延びるように配置された第１の保持部材および第２の保持部材を備える、
請求項５に記載の押出機システム。
【請求項７】
前記ダイは、前記挿入方向とは反対の取り付け方向にて前記ホルダに取り付けることができる、
請求項６に記載の押出機システム。
【請求項８】
前記第１の保持部材および前記第２の保持部材は、前記取り付け方向に平行な方向に延びる第１の案内要素および第２の案内要素をそれぞれ備え、前記ダイは、前記第１の案内要素および前記第２の案内要素のそれぞれに前記取り付け方向にスライド可能に係合するように配置された第１の取り付け要素および第２の取り付け要素を備える、
請求項７に記載の押出機システム。
【請求項９】
前記コードガイドは、互いに噛み合うように前記コード平面の両側に配置された第１のコードガイド部材および第２のコードガイド部材を備え、前記第１のコードガイド部材および前記第２のコードガイド部材のうちの一方は、前記ホルダに直接接続され、または前記ホルダと一体であり、前記第１のコードガイド部材および前記第２のコードガイド部材のうちの他方は、前記第１の案内要素および前記第２の案内要素のそれぞれに前記取り付け方向にスライド可能に係合するように配置された第３の取り付け要素および第４の取り付け要素を備える、
請求項８に記載の押出機システム。
【請求項１０】
前記第１のコードガイド部材および前記第２のコードガイド部材のうちの前記他方は、前記取り付け方向において前記ホルダと前記ダイとの間に取り付けられるように配置される、
請求項９に記載の押出機システム。
【請求項１１】
前記第１の保持部材および前記第２の保持部材は、前記ダイと前記コードガイドとの間に前記流れ領域を形成するために、前記挿入方向において前記ダイに当接するように配置され、前記挿入方向において前記コードガイドから離れて位置する１つ以上の合わせ面を備える、
請求項６〜１０のいずれか一項に記載の押出機システム。
【請求項１２】
前記コードガイドは、前記ダイと協働して前記流れ領域を定めるコードガイドノーズを備え、前記第１のコードガイド部材および前記第２のコードガイド部材は、前記ダイと前記コードガイドとの間に前記流れ領域を形成するために、前記挿入方向において前記ダイに当接するように配置され、前記挿入方向において前記コードガイドノーズから離れて位置する第１の合わせ面および第２の合わせ面をそれぞれ備える、
請求項９または１０に記載の押出機システム。
【請求項１３】
前記ホルダは、前記挿入方向に垂直な横断方向にて前記コードガイドの側面に接続することができる第１の保持部材および第２の保持部材を備え、前記第１の保持部材および前記第２の保持部材は、前記コードガイドに接続されたときに、前記横断方向における前記ダイの第１の側および第２の側のそれぞれにおいて前記挿入方向に前記コードガイドから前記ダイに向かって前記ダイの傍らを延びる、
請求項１〜３のいずれか一項に記載の押出機システム。
【請求項１４】
前記ダイまたは前記コードガイドは、前記コード平面に垂直な取り付け方向に前記ホルダへと取り付けることができる、
請求項１３に記載の押出機システム。
【請求項１５】
前記第１の保持部材および前記第２の保持部材は、前記取り付け方向に平行な方向に延びる第１の案内要素および第２の案内要素をそれぞれ備え、前記ダイは、前記第１の案内要素および前記第２の案内要素のそれぞれに前記取り付け方向にスライド可能に係合するように配置された第１の取り付け要素および第２の取り付け要素を備える、
請求項１４に記載の押出機システム。
【請求項１６】
前記コードガイドは、互いに噛み合うように前記コード平面の両側に配置された第１のコードガイド部材および第２のコードガイド部材を備える、
請求項１〜３のいずれか一項に記載の押出機システム。
【請求項１７】
前記第１のコードガイド部材は、独立して前記第２のコードガイド部材に取り付け可能かつ前記第２のコードガイド部材から取り外し可能である、
請求項１６に記載の押出機システム。
【請求項１８】
前記コードガイドは、分割不可能またはモノブロックとして形成された第１のコードガイド部材および第２のコードガイド部材を備える、
請求項１〜３のいずれか一項に記載の押出機システム。
【請求項１９】
前記ダイを前記コードガイドに結合させるための第１の結合要素をさらに備え、前記第１の結合要素は、前記ダイ位置への前記挿入方向の前記コードガイドに対する前記ダイの移動を可能にする、
請求項１〜１８のいずれか一項に記載の押出機システム。
【請求項２０】
前記押出機ヘッドは、前記ダイが前記ダイ位置にあるときに前記挿入方向とは反対の方向に前記ダイを当接させるための当接面を提供する、
請求項１９に記載の押出機システム。
【請求項２１】
前記第１のスライド面と前記内面との間の第１のシール要素および前記第２のスライド面と前記内面との間の第２のシール要素をさらに備え、前記挿入方向に対する前記第１のシール要素および前記第２のシール要素の下流の前記内面から前記流れ領域をシールする、
請求項２に記載の押出機システム。
【請求項２２】
前記ダイは、ダイ長にわたって前記内面に沿って前記挿入方向に延び、前記第１のシール要素および前記第２のシール要素は、前記ダイが前記ダイ位置にあるときに前記流れ領域から前記ダイ長の半分未満に位置する、
請求項２１に記載の押出機システム。
【請求項２３】
前記第１のシール要素および前記第２のシール要素は、前記ダイに形成されたシール溝であり、前記シール溝は、前記内面に向かって開いている、
請求項２１または２２に記載の押出機システム。
【請求項２４】
前記ダイまたは前記１つ以上の流路は、前記ダイおよび前記コードガイドを前記挿入スロットから前記挿入方向とは反対の後退方向に後退させるときに前記流れ領域に残る押出材料を前記１つ以上の流路内の押出材料から切断するように配置された前記流れ領域におけるナイフを備える、
請求項１〜２３のいずれか一項に記載の押出機システム。
【請求項２５】
前記ダイは、前記押出材料を前記押出物へと形成するダイ出口開口部と、前記第１のスライド面と前記ダイ出口開口部との間に位置し、前記ダイを前記挿入方向に挿入することによって前記内面から掻き取られる押出材料を蓄積させるための蓄積用凹部とを備える、
請求項２に記載の押出機システム。
【請求項２６】
前記第３のスライド面と前記内面との間の第３のシール要素および前記第４のスライド面と前記内面との間の第４のシール要素をさらに備え、前記挿入方向に対する前記第３のシール要素および前記第４のシール要素の上流の前記内面から前記流れ領域をシールする、
請求項２に記載の押出機システム。
【請求項２７】
前記コードガイドは、コードガイド長にわたって前記内面に沿って前記挿入方向に延び、前記第３のシール要素および前記第４のシール要素は、前記コードガイドが前記コードガイド位置にあるときに前記流れ領域から前記コードガイド長の半分未満に位置する、
請求項２６に記載の押出機システム。
【請求項２８】
前記第３のシール要素および前記第４のシール要素は、前記コードガイドに形成されたシール溝であり、前記シール溝は、前記内面に向かって開いている、
請求項２６または２７に記載の押出機システム。
【請求項２９】
前記ダイおよび前記コードガイドは、前記コード平面に垂直な方向のダイ高さおよびコードガイド高さをそれぞれ有し、前記ダイ高さは、前記コードガイド高さよりも小さい、
請求項１〜２８のいずれか一項に記載の押出機システム。
【請求項３０】
前記挿入スロットは、前記ダイ位置および前記コードガイド位置のそれぞれにおいて前記コード平面に垂直な方向の第１のスロット高さおよび第２のスロット高さを有し、前記第１のスロット高さは、前記第２のスロット高さよりも小さい、
請求項１〜２９のいずれか一項に記載の押出機システム。
【請求項３１】
前記ダイおよび前記コードガイドは、前記コード平面に垂直な方向のダイ高さおよびコードガイド高さをそれぞれ有し、前記ダイ高さと前記コードガイド高さとが等しい、
請求項１〜２８のいずれか一項に記載の押出機システム。
【請求項３２】
前記挿入スロットは、前記ダイ位置および前記コードガイド位置のそれぞれにおいて前記コード平面に垂直な方向の第１のスロット高さおよび第２のスロット高さを有し、前記第１のスロット高さと前記第２のスロット高さとが等しい、
請求項１〜２８のいずれか一項に記載の押出機システム。
【請求項３３】
前記挿入方向および前記挿入方向とは反対の後退方向のそれぞれの前記ダイまたは前記コードガイドの前記挿入または取り出しを補助するためのアクチュエータをさらに備える、
請求項１〜３２のいずれか一項に記載の押出機システム。
【請求項３４】
前記１つ以上の流路は、前記コード平面の第１の側から前記流れ領域へと流出する第１の流路と、前記第１の側とは反対の前記コード平面の第２の側から前記流れ領域へと流出する第２の流路とを備える、
請求項１〜３３のいずれか一項に記載の押出機システム。
【請求項３５】
前記ダイおよび前記コードガイドは、それぞれダイ入口開口部およびコードガイドノーズを備え、前記ダイ入口開口部および前記コードガイドノーズは、前記ダイおよび前記コードガイドが前記ダイ位置および前記コードガイド位置にそれぞれ位置するときに、前記コード平面の前記第１の側において前記第１の流路に整列または接続し、前記コード平面の前記第２の側において前記第２の流路に整列または接続する前記流れ領域を協働して形成する、
請求項３４に記載の押出機システム。
【請求項３６】
前記押出機ヘッドから前記第１の流路および前記第２の流路をそれぞれシールするために、前記第１の押出機ヘッド部材と前記第１のクランプ部材との間に第１のカバーが設けられ、前記第２の押出機ヘッド部材と前記第２のクランプ部材との間に第２のカバーが設けられる、
請求項１〜３５のいずれか一項に記載の押出機システム。
【請求項３７】
請求項１〜３６のいずれか一項に記載の押出機システムを使用するコードで補強された押出物を押し出すための方法であって、
前記ダイおよび前記コードガイドを接続するステップと、前記ダイおよび前記コードガイドを同時に前記挿入スロットの完全に外側の位置から前記ダイ位置および前記コードガイド位置のそれぞれへと前記挿入スロットに前記挿入方向に挿入するステップとを含む
方法。
【請求項３８】
前記押出機ヘッドは、前記挿入スロットを定める内面を備え、本方法は、或る量の押出材料が前記ダイと前記内面との間および前記コードガイドと前記内面との間で硬化することを可能にすることによって、前記ダイおよび前記コードガイドを前記内面に対してシールするステップを含む、
請求項３７に記載の方法。
【請求項３９】
前記ダイまたは前記１つ以上の流路は、前記流れ領域にナイフを備え、本方法は、前記ナイフを使用して、前記ダイおよび前記コードガイドを前記挿入スロットから前記挿入方向とは反対の後退方向に後退させるときに前記流れ領域に残る押出材料を前記１つ以上の流路内の押出材料から切断するステップを含む、
請求項３７または３８に記載の方法。